(57)【要約】【課題】外部衝撃を分散することによってＬＣＤモジュールへの衝撃伝達量を減らし、外部衝撃によるＬＣＤモジュールの過大な湾曲およびそれによる破損を防止することのできる携帯電話機のディスプレー装置を提供する。【解決手段】ＬＣＤモジュールと、ＬＣＤモジュールを収容し支持する、長方形状を有するガイドリブを備えた第１ハウジングと、ガイドリブ上に搭載されるべくＬＣＤモジュールの上部に配置される駆動回路基板と、駆動回路基板とＬＣＤモジュールを取り囲むよう第１ハウジングと結合される第２ハウジングとを含む。これによると、駆動回路基板が第１ハウジングのガイドリブ上に搭載されて支持されるため、外部からの衝撃が駆動回路基板と第１ハウジングとに分散されることから、ＬＣＤモジュールを保護することができる。【選択図】図２
2006126832.tif 000002
【特許請求の範囲】
【請求項１】
ＬＣＤモジュールと、
前記ＬＣＤモジュールを収容し支持する、少なくとも１対のガイドリブを備えた第１ハウジングと、
前記ガイドリブ上に搭載されるべく前記ＬＣＤモジュールの上部に配置される駆動回路基板と、
前記駆動回路基板と前記ＬＣＤモジュールを取り囲むよう前記第１ハウジングと結合される第２ハウジングと、
を含むことを特徴とする携帯電話機のディスプレー装置。
【請求項２】
前記ガイドリブが長方形状に配置されることを特徴とする請求項１に記載の携帯電話機のディスプレー装置。
【請求項３】
前記第２ハウジングと前記駆動回路基板の両側辺との間に配置され、前記第１ハウジングに対する第２ハウジングの結合時に前記駆動回路基板の両側を押して支持する１対の支持リブを含むことを特徴とする請求項１または２に記載の携帯電話機のディスプレー装置。
【請求項４】
前記支持リブは前記第２ハウジングに一体形成されることを特徴とする請求項３に記載の携帯電話機のディスプレー装置。
【請求項５】
ＬＣＤモジュールと、
前記ＬＣＤモジュールを収容し支持する少なくも１対のガイドリブを備え、更に前記ＬＣＤモジュールを露出させるための開口部を備えた第１ハウジングと、
前記ガイドリブ上に搭載されるべく前記ＬＣＤモジュールの上部に配置される駆動回路基板と、
前記駆動回路基板と前記ＬＣＤモジュールを取り囲むよう前記第１ハウジングと結合され、前記ＬＣＤモジュールを他の方向に露出させるための補助開口部が形成された第２ハウジングと、
前記第１ハウジングの開口部に取り付けられたメイン液晶画面と、
前記第２ハウジングの補助開口部に取り付けられた補助液晶画面と
を含むことを特徴とする携帯電話機のディスプレー装置。
【請求項６】
前記ガイドリブが長方形状に配置されていることを特徴とする請求項５に記載の携帯電話機のディスプレー装置。
【請求項７】
前記第２ハウジングと前記回路基板の両側辺と間に配置され、前記第１ハウジングに対する第２ハウジングの結合時に、前記駆動回路基板の両側を押して支持する１対の支持リブを含むことを特徴とする請求項５または６に記載の携帯電話機のディスプレー装置。
【請求項８】
前記支持リブは前記第２ハウジングに一体形成されることを特徴とする請求項７に記載の携帯電話機のディスプレー装置。
【請求項９】
前記ＬＣＤモジュールの縁部と前記第１ハウジングの底面との間には第１シーリング部材が介在され、前記補助液晶画面の縁部と前記第２ハウジングとの間にも第２シーリング部材が介在されることを特徴とする請求項８に記載の携帯電話機のディスプレー装置。
【請求項１０】
前記第１シーリング部材の介在下で、第１ハウジングに組み付けられたＬＣＤモジュールの高さと前記ガイドリブの高さが同一であることを特徴とする 請求項９に記載の携帯電話機のディスプレー装置。
【請求項１１】
各種の電子部品が内蔵され、ユーザが操作することにより通話をオン／オフさせたり、機能設定およびダイアリングを指示するための多数のキーパッドを備えた携帯電話本体と、ユーザの開閉により前記キーパッドを選択的に開放させ、ダイアルした電話番号や現在の機能設定および状態を表すディスプレー装置とを含む携帯電話機において、
前記ディスプレー装置は、
ＬＣＤモジュールと、
前記ＬＣＤモジュールを収容し支持する長方形状を有するガイドリブを備え、前記ＬＣＤモジュールを露出させるための開口部を備えた第１ハウジングと、
前記ガイドリブ上に搭載されるべく前記ＬＣＤモジュールの上部に配置される駆動回路基板と、
前記駆動回路基板と前記ＬＣＤモジュールを取り囲むよう前記第１ハウジングと結合され、前記ＬＣＤモジュールを他の方向に露出させるための補助開口部が形成された第２ハウジングと、
前記第１ハウジングの開口部に取り付けられたメイン液晶画面と、
前記第２ハウジングの補助開口部に取り付けられた補助液晶画面と
を含むことを特徴とする携帯電話機。
【請求項１２】
前記第２ハウジングと前記回路基板の両側辺との間に配置され、前記第１ハウジングに対する第２ハウジングの結合時に、前記駆動回路基板の両側辺を押して支持する１対の支持リブを含むことを特徴とする請求項１１に記載の携帯電話機。
【請求項１３】
前記支持リブは前記第２ハウジングに一体形成されることを特徴とする請求項１２に記載の携帯電話機。
【請求項１４】
前記ＬＣＤモジュールの縁部と前記第１ハウジングの底面との間には第１シーリング部材が介在され、前記補助液晶画面の縁部と前記第２ハウジングとの間にも第２シーリング部材が介在されることを特徴とする請求項１３に記載の携帯電話機。
【請求項１５】
前記第１シーリング部材の介在下で、第１ハウジングに組み付けられたＬＣＤモジュールの高さと前記ガイドリブの高さが同一であることを特徴とする請求項１４に記載の携帯電話機。
【発明の詳細な説明】
【技術分野】
【０００１】
本発明は、携帯電話機に関し、詳細には、改善された内衝撃性を有するディスプレー装置およびそれを備えた携帯電話機に関する。
【背景技術】
【０００２】
周知の通り、携帯電話機はダイアルした電話番号や現在の機能設定および状態を表す、例えば、液晶表示素子（ＬＣＤ）などを用いたディスプレー装置を備える。このディスプレー装置は、携帯電話機の本体に一体的に構成されており、携帯電話機の本体に摺動移動自在に取り付けられる場合や携帯電話機の本体に対して回動自在に取り付けられる等の様々な形態を有している。以下、携帯電話機の本体についてディスプレー装置が回動自在に構成された、いわゆるフォルダー型と呼ばれる携帯電話機について説明する。
【０００３】
フォルダー型携帯電話機において、携帯電話機の本体には各種の電子部品が内蔵され、さらにユーザが操作することにより通話をオン／オフさせたり、機能設定およびダイアリングできる多数のキーパッドから構成されている。そして、ディスプレー装置は、前述の携帯電話機の本体にヒンジ結合してユーザの開閉によりキーパッドが選択的に開放可能に構成されている。
【０００４】
図１に示したように、一般に携帯電話機のディスプレー装置は、第１ハウジング１０、ＬＣＤモジュール２０、駆動回路基板３０、第２ハウジング４０、メイン液晶画面５０、および補助液晶画面６０を備える。
第１ハウジング１０は、ＬＣＤモジュール２０を収容して支持するためのガイドリブ１１を備え、さらにＬＣＤモジュール２０を露出するための開口部１２を備えてなる。このガイドリブ１１は１対あるいは２対設けることができる。
【０００５】
ＬＣＤモジュール２０は、第１ハウジング１に第１シーリング部材２１を介在して取り付けられ、ＬＣＤモジュール２０の上部に駆動回路基板３０が取り付けられる。なお、ＬＣＤモジュール２０と駆動回路基板３０は、ガイドリブ１１の内側に支持されるように配置される。このことは、即ち、ＬＣＤモジュール２０と駆動回路基板３０の４つの外周面がガイドリブ１１の内面に支持されるべく配置された状態で組立てられる。
【０００６】
第２ハウジング４０は、ＬＣＤモジュール２０を露出するための補助開口部４２を備え、第１ハウジング１０と結合される。
第１ハウジング１０の開口部１２には、メイン液晶画面５０が取り付けられ、第２ハウジング４０の補助開口部４２には第２シーリング部材４１を介在して補助液晶画面６０が取り付けられる。
【０００７】
しかし、前述のような一般の携帯電話機のディスプレー装置は、図１において太い矢印で示すような、外部からの衝撃を受けた時に、この衝撃が補助液晶画面６０および駆動回路基板３０を通じてそのままＬＣＤモジュール２０へ伝わることにより、ＬＣＤモジュール２０が図面の点線で示したように、過大な湾曲や破損の問題点が発生する。
さらに、一般の携帯電話機のディスプレー装置は、外部からの衝撃時に、ＬＣＤモジュール２０と駆動回路基板３０が所定位置から脱落することによりＬＣＤモジュール２０に衝撃が伝達されてしまうという問題点も抱えている。
【特許文献１】特開２００４-０９６２９３号公報
【特許文献２】特開２００３-１０１２５０号公報
【発明の開示】
【発明が解決しようとする課題】
【０００８】
本発明は前述した問題点を解決するために案出されたもので、本発明の目的は、外部からの衝撃を分散させることにより、ＬＣＤモジュールへの衝撃伝達量を減らし、外部からの衝撃によるＬＣＤモジュールの過大な湾曲やそれによる破損を防止することのできる携帯電話機のディスプレー装置を提供することにある。
本発明の他の目的は、外部からの衝撃によるＬＣＤモジュールおよび駆動回路基板の所定位置からの脱落を防止することのできる携帯電話機のディスプレー装置を提供することにある。
【０００９】
本発明の更なる目的は、前述のような特徴を有するディスプレー装置を備える携帯電話機、特にフォルダー型携帯電話機を提供することにある。
【課題を解決するための手段】
【００１０】
前述した目的を達成するための本発明による携帯電話機のディスプレー装置は、ＬＣＤモジュールと、前記ＬＣＤモジュールを収容し支持する、少なくとも１対のガイドリブを備えた第１ハウジングと、前記ガイドリブ上に搭載されるべく前記ＬＣＤモジュールの上部に配置される駆動回路基板と、前記駆動回路基板と前記ＬＣＤモジュールを取り囲むよう前記第１ハウジングと結合される第２ハウジングとを含むことを特徴とする。
【００１１】
本発明の好適な実施の形態によると、前記ガイドリブが長方形状に配置される。
さらに、本発明による携帯電話機のディスプレー装置は、前記第２ハウジングと前記駆動回路基板の両側辺との間に配置され、前記第１ハウジングに対する第２ハウジングの結合時に前記駆動回路基板の両側を押して支持する１対の支持リブを含むことが好ましい。なお、前記支持リブは前記第２ハウジングに一体形成されることがよい。
【００１２】
本発明の他の観点によると、携帯電話機のディスプレー装置は、ＬＣＤモジュールと、前記ＬＣＤモジュールを収容し支持する少なくも１対のガイドリブを備え、更に前記ＬＣＤモジュールを露出させるための開口部を備えた第１ハウジングと、前記ガイドリブ上に搭載されるべく前記ＬＣＤモジュールの上部に配置される駆動回路基板と、前記駆動回路基板と前記ＬＣＤモジュールを取り囲むよう前記第１ハウジングと結合され、前記ＬＣＤモジュールを他の方向に露出させるための補助開口部が形成された第２ハウジングと、前記第１ハウジングの開口部に取り付けられたメイン液晶画面と、前記第２ハウジングの補助開口部に取り付けられた補助液晶画面とを含むことを特徴とする。
【００１３】
前記ガイドリブは長方形状に配置されることが好ましい。
さらに、本発明は、前記第２ハウジングと前記回路基板の両側辺と間に配置され、前記第１ハウジングに対する第２ハウジングの結合時に、前記駆動回路基板の両側を押して支持する１対の支持リブを含むことがよい。なお、前記支持リブは前記第２ハウジングに一体形成されることが好ましい。
【００１４】
また、前記ＬＣＤモジュールの縁部と前記第１ハウジングの底面との間には第１シーリング部材が介在され、前記補助液晶画面の縁部と前記第２ハウジングとの間にも第２シーリング部材が介在されることが好ましい。
そして、前記第１シーリング部材の介在下で、第１ハウジングに取り付けられたＬＣＤモジュールの高さと前記ガイドリブの高さが同一であることが好ましい。
【００１５】
なお、前記第１および第２シーリング部材はスポンジやゴムなどの材質からなる材料で形成することができる。
一方、本発明の目的を達成するための携帯電話機は、各種の電子部品が内蔵され、ユーザが操作することにより通話をオン／オフさせたり、機能設定およびダイアリングの指示を行うための多数のキーパッドを備えた携帯電話機本体と、ユーザの開閉により前記キーパッドを選択的に開放させ、ダイアルした電話番号や現在の機能設定および状態を表すディスプレー装置とを含む携帯電話機において、前記ディスプレー装置は、ＬＣＤモジュールと、前記ＬＣＤモジュールを収容し支持する四角の形状を有するガイドリブを備え、前記ＬＣＤモジュールを露出させるための開口部を備えた第１ハウジングと、前記ガイドリブ上に搭載されるべく前記ＬＣＤモジュールの上部に配置される駆動回路基板と、前記駆動回路基板と前記ＬＣＤモジュールを取り囲むよう前記第１ハウジングと結合され、前記ＬＣＤモジュールを他の方向に露出させるための補助開口部が形成された第２ハウジングと、前記第１ハウジングの開口部に取り付けられたメイン液晶画面と、前記第２ハウジングの補助開口部に取り付けられた補助液晶画面とを含むことを特徴とする。
【発明の効果】
【００１６】
本発明によると、内衝撃性が著しく改善されたディスプレー装置を提供することができ、携帯電話機の耐久性および信頼性を一層高めることができる。
【発明を実施するための最良の形態】
【００１７】
以下、添付の図面に基づいて本発明の好適な実施形態を詳述する。
図２は本発明に係る一実施の形態による携帯電話機のディスプレー装置を示した断面図であり、図３は図２で示した本発明による携帯電話のディスプレー装置の分解斜視図である。
図２および図３に示したように、本発明の一実施の形態に係る携帯電話のディスプレー装置は、第１ハウジング１１０、ＬＣＤモジュール１２０、駆動回路基板１３０、第２ハウジング１４０、メイン液晶画面１５０、および補助液晶画面１６０を備える。
【００１８】
第１ハウジング１１０は、ＬＣＤモジュール１２０を収容して支持するための所定高さのガイドリブ１１１を備える。さらに、ＬＣＤモジュール１２０を露出させるための開口部１１２も備える。このガイドリブ１１１は、１対あるいは２対設けることができ、２対設ける場合は長方形状に配置される。
ＬＣＤモジュール１２０は、第１ハウジング１１０に第１シーリング部材１２１を介在して取り付けられるが、長方形状に設けられたガイドリブ１１１の内側に配置された状態で取り付けられる。ここで、ＬＣＤモジュール１２０の高さとガイドリブ１１１の高さは同一であることが好ましい。なお、ＬＣＤモジュール１２０の高さは第１シーリング部材１２１を考慮した高さである。
【００１９】
駆動回路基板１３０は、本発明の特徴に基づいて、ガイドリブ１１１の上縁部に当接するよう取り付けられる。即ち、駆動回路基板１３０の下面が長方形状に第１ハウジング１１０に設けられたガイドリブ１１１の上部に支持された状態で、ＬＣＤモジュール１２０の上部に位置すべく取り付けられる。これによると、第２ハウジング１４０に加えられる外部からの衝撃が、駆動回路基板１３０を介して第１ハウジング１１０に分散されることにより、ＬＣＤモジュール１２０に伝わる衝撃量が従来に比べて減少する。
【００２０】
第２ハウジング１４０は、駆動回路基板１３０とＬＣＤモジュール１２０を取り囲むよう第１ハウジング１１０に結合される。第２ハウジング１１０にはＬＣＤモジュール１２０を他の方向に露出させるための補助開口部１４２が形成される。
また、第２ハウジング１４０には、本発明の特徴に基づいて第１ハウジング１１０との結合時に駆動回路基板１３０のエッジ部分を押して支持する支持リブ１４３が一体形成される。これによると、駆動回路基板１３０が第１ハウジング１１０のガイドリブ１１１と第２ハウジング１４０の支持リブ１４３により上下方向で支持されることから、外部の衝撃によっても所定位置から脱落することがなくなる。従って、駆動回路基板１３０と第２ハウジング１４０との間の一定空間を常に確保することができる。
【００２１】
前述の支持リブ１４３を本実施の形態においては第２ハウジング１４０に一体形成されることについて説明したが、支持リブ１４３は別の構造物として形成され、第２ハウジング１４０に取り付けることができるなど、図示した例に限定されるものではない。
第１ハウジング１１０の開口部１１２には、メイン液晶画面１５０が取り付けられ、第２ハウジング１４０の補助開口部１４２には第２シーリング部材１４１の介在下で補助液晶画面１６０が取り付けられる。
【００２２】
なお、第１および第２シーリング部材１２１，１４１はスポンジやゴムなどの材質を用いた部材であることが好ましいが、必ずしもこれに限らず、液晶画面へゴミや異物を浸透させない材質であればいずれも使用可能である。
係る構成による携帯電話機のディスプレーの組立ては、一般的な場合とそれほど変わらない。但し、駆動回路基板１３０が第１ハウジング１１０に設けられた長方形状のガイドリブ１１１上に支持されると同時に、第２ハウジング１４０に設けられた支持リブ１４３により支持されるべく取り付けられる。
【００２３】
従って、本発明によるディスプレー装置に図２における太い矢印方向に外部衝撃が加えられた場合に、この衝撃が駆動回路基板１３０から第１ハウジング１１０のガイドリブ１１１に分散されるため、ＬＣＤモジュール１２０に伝わる衝撃量が従来に比べて減少する。それと共に、外部からの衝撃時に駆動回路基板１３０が所定位置から脱落しないので、駆動回路基板１３０と第２ハウジング１４０との間の空間を一定に確保することができる。結果的に、外部衝撃によるＬＣＤモジュールの過大な湾曲およびそれによる破損を防止できる。
【００２４】
同一の外部衝撃を、従来および本発明のディスプレー装置にそれぞれ加えた時、ＬＣＤモジュールに作用する応力についてシミュレーションした結果、図５に示したように、本発明がほぼ１０％程度の応力の作用を受けなかったことが分かる。
図４は、本発明に係るディスプレー装置１００が採用された携帯電話を示したもので、図示したように、携帯電話本体２００にディスプレー装置１００が回動自在にヒンジ結合されている。
【００２５】
携帯電話機本体２００には、各種の電子部品が内蔵されており、ユーザが操作することにより通話をオン／オフさせたり、機能設定およびダイアリングを指示するための多数のキーパッド２１０が設けられている。そして、ディスプレー装置１００はユーザの開閉によりキーパッド２１０を選択的な開放が可能となるように携帯電話本体２００に接続されており、本ディスプレー装置１００はダイアルした電話番号や現在の機能設定および状態をユーザが確認および認知できるように表示する。
【００２６】
本発明が適用された前述のような携帯電話機の主な部分であるディスプレー装置１００については既に説明したので、その説明は除く。
一方、図示した例においては、携帯電話機本体２００について、ディスプレー装置１００が回動自在に接続されたフォルダ型携帯電話について図示しているが、本発明のディスプレー装置１００はフォルダ型のみならず、スライド型や一体型の携帯電話機にも同一目的および効果を得るため適用することができる。
【００２７】
以上、図面に基づいて本発明の好適な実施形態を図示および説明してきたが本発明の保護範囲は、前述の実施形態に限定するものではなく、特許請求の範囲に記載された発明とその均等物にまで及ぶものである。
【産業上の利用可能性】
【００２８】
本発明のディスプレー装置は、耐衝撃性を大きく強化することによって、携帯可能なＩＴ機器、例えば、携帯電話機やＰＤＡなどのディスプレー装置に有効に使用することができる。
【図面の簡単な説明】
【００２９】
【図１】一般的な携帯電話機のディスプレー装置を概略的に示した断面図である。
【図２】本発明の一実施の形態に係る携帯電話機のディスプレー装置を示した断面図である。
【図３】図２で示した本発明に係る携帯電話機のディスプレー装置の分解斜視図である。
【図４】本発明に係るディスプレー装置が適用された携帯電話機の斜視図である。
【図５】本発明の効果を説明するために示したシミュレーションの結果をグラフで示した図である。
【符号の説明】
【００３０】
１００      ディスプレー装置
１１０      第１ハウジング
１１１      ガイドリブ
１１２      開口部
１２０      ＬＣＤモジュール
１３０      駆動回路基板
１４０      第２ハウジング
１４２      補助開口部
１４３      支持リブ
１５０      メイン液晶画面
１６０      補助液晶画面
【図１】
2006126832.tif 000003
【図２】
2006126832.tif 000004
【図３】
2006126832.tif 000005
【図４】
2006126832.tif 000006
【図５】
2006126832.tif 000007